【手続補正書】
【提出日】平成25年12月9日(2013.12.9)
【手続補正１】
【補正対象書類名】特許請求の範囲
【補正対象項目名】全文
【補正方法】変更
【補正の内容】
【特許請求の範囲】
【請求項１】
階層構造を有し前記階層構造の階層にメタデータを付加可能な、第１の印刷文書と、第２の印刷文書とをマージする指示をユーザから受け付ける受付手段と、
前記受付手段が前記指示を受け付けることにより、前記第１の印刷文書のメタデータに含まれるキーの組と、前記第２の印刷文書のメタデータに含まれるキーの組とが前記第１の印刷文書と、前記第２の印刷文書との階層構造における階層ごとに一致するか否かを判断する判断手段と、
前記判断手段が前記第１の印刷文書のメタデータに含まれるキーの組と、前記第２の印刷文書のメタデータに含まれるキーの組とが一致しないと判断した場合に、前記第１の印刷文書と、前記第２の印刷文書との階層構造における階層ごとに前記第１の印刷文書のメタデータに含まれるキーの組と、前記第２の印刷文書のメタデータに含まれるキーの組とが一致するように前記第１の印刷文書のメタデータと、前記第２の印刷文書のメタデータとのうち少なくとも一つのメタデータを変更する変更手段と、
前記変更手段の変更処理により得られる前記メタデータに基づいて前記第１の印刷文書と、前記第２の印刷文書とをマージするマージ手段と、
を有する情報処理装置。
【請求項２】
前記変更手段は、前記判断手段が前記第１の印刷文書のメタデータに含まれるキーの組と、前記第２の印刷文書のメタデータに含まれるキーの組とが一致しないと判断し、かつ前記判断手段が一致しないと判断する階層の、前記第１の印刷文書のメタデータと、前記第２の印刷文書のメタデータとに共通で含まれるキーがある場合に前記一致しないと判断する階層をグルーピングし、前記判断手段が前記第１の印刷文書のメタデータに含まれるキーの組と、前記第２の印刷文書のメタデータに含まれるキーの組とが一致しないと判断し、かつ前記判断手段が一致しないと判断する階層の、前記第１の印刷文書のメタデータと、前記第２の印刷文書のメタデータとに共通で含まれるキーがない場合に前記一致しないと判断する階層のグルーピングを解除することで前記少なくとも一つのメタデータを変更する請求項１記載の情報処理装置。
【請求項３】
前記マージ手段による前記マージの後に、前記印刷文書に対応する印刷を制御する印刷制御情報を更新する更新手段を更に有する請求項１又は２記載の情報処理装置。
【請求項４】
コンピュータに、
階層構造を有し前記階層構造の階層にメタデータを付加可能な、第１の印刷文書と、第２の印刷文書とをマージする指示をユーザから受け付ける受付ステップと、
前記受付ステップが前記指示を受け付けることにより、前記第１の印刷文書のメタデータに含まれるキーの組と、前記第２の印刷文書のメタデータに含まれるキーの組とが前記第１の印刷文書と、前記第２の印刷文書との階層構造における階層ごとに一致するか否かを判断する判断ステップと、
前記判断ステップが前記第１の印刷文書のメタデータに含まれるキーの組と、前記第２の印刷文書のメタデータに含まれるキーの組とが一致しないと判断した場合に、前記第１の印刷文書と、前記第２の印刷文書との階層構造における階層ごとに前記第１の印刷文書のメタデータに含まれるキーの組と、前記第２の印刷文書のメタデータに含まれるキーの組とが一致するように前記第１の印刷文書のメタデータと、前記第２の印刷文書のメタデータとのうち少なくとも一つのメタデータを変更する変更ステップと、
前記変更ステップの変更処理により得られる前記メタデータに基づいて前記第１の印刷文書と、前記第２の印刷文書とをマージするマージステップと、
を実行させるためのプログラム。
【請求項５】
前記変更ステップでは、前記判断ステップが前記第１の印刷文書のメタデータに含まれるキーの組と、前記第２の印刷文書のメタデータに含まれるキーの組とが一致しないと判断し、かつ前記判断ステップが一致しないと判断する階層の、前記第１の印刷文書のメタデータと、前記第２の印刷文書のメタデータとに共通で含まれるキーがある場合に前記一致しないと判断する階層をグルーピングし、前記判断ステップが前記第１の印刷文書のメタデータに含まれるキーの組と、前記第２の印刷文書のメタデータに含まれるキーの組とが一致しないと判断し、かつ前記判断ステップが一致しないと判断する階層の、前記第１の印刷文書のメタデータと、前記第２の印刷文書のメタデータとに共通で含まれるキーがない場合に前記一致しないと判断する階層のグルーピングを解除することで前記少なくとも一つのメタデータを変更する請求項４記載のプログラム。
【請求項６】
前記コンピュータに、前記マージステップによる前記マージの後に、前記印刷文書に対応する印刷を制御する印刷制御情報を更新する更新ステップを更に実行させる請求項４又は５記載のプログラム。
【請求項７】
階層構造を有し前記階層構造の階層にメタデータを付加可能な、第１の印刷文書と、第２の印刷文書とをマージする指示をユーザから受け付ける受付ステップと、
前記受付ステップが前記指示を受け付けることにより、前記第１の印刷文書のメタデータに含まれるキーの組と、前記第２の印刷文書のメタデータに含まれるキーの組とが前記第１の印刷文書と、前記第２の印刷文書との階層構造における階層ごとに一致するか否かを判断する判断ステップと、
前記判断ステップが前記第１の印刷文書のメタデータに含まれるキーの組と、前記第２の印刷文書のメタデータに含まれるキーの組とが一致しないと判断した場合に、前記第１の印刷文書と、前記第２の印刷文書との階層構造における階層ごとに前記第１の印刷文書のメタデータに含まれるキーの組と、前記第２の印刷文書のメタデータに含まれるキーの組とが一致するように前記第１の印刷文書のメタデータと、前記第２の印刷文書のメタデータとのうち少なくとも一つのメタデータを変更する変更ステップと、
前記変更ステップの変更処理により得られる前記メタデータに基づいて前記第１の印刷文書と、前記第２の印刷文書とをマージするマージステップと、
を含む情報処理方法。
【手続補正２】
【補正対象書類名】明細書
【補正対象項目名】０００６
【補正方法】変更
【補正の内容】
【０００６】
そこで、本発明の情報処理装置は、階層構造を有し前記階層構造の階層にメタデータを付加可能な、第１の印刷文書と、第２の印刷文書とをマージする指示をユーザから受け付ける受付手段と、前記受付手段が前記指示を受け付けることにより、前記第１の印刷文書のメタデータに含まれるキーの組と、前記第２の印刷文書のメタデータに含まれるキーの組とが前記第１の印刷文書と、前記第２の印刷文書との階層構造における階層ごとに一致するか否かを判断する判断手段と、前記判断手段が前記第１の印刷文書のメタデータに含まれるキーの組と、前記第２の印刷文書のメタデータに含まれるキーの組とが一致しないと判断した場合に、前記第１の印刷文書と、前記第２の印刷文書との階層構造における階層ごとに前記第１の印刷文書のメタデータに含まれるキーの組と、前記第２の印刷文書のメタデータに含まれるキーの組とが一致するように前記第１の印刷文書のメタデータと、前記第２の印刷文書のメタデータとのうち少なくとも一つのメタデータを変更する変更手段と、前記変更手段の変更処理により得られる前記メタデータに基づいて前記第１の印刷文書と、前記第２の印刷文書とをマージするマージ手段と、を有する。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】